(57)【要約】      （修正有）【課題】スプリングを用いることなく蓋材を開閉することができて、スプリングを抹消することができ、部品点数を少なくすることができてコストダウンを図ることができる。【解決手段】  フロントパネル２の開口部２ａからトレイシャーシ３を出入したときに開口部を蓋材４で開閉しフロントパネルの開口部の下側に開閉可能に枢着した蓋材に開口部を塞ぐ蓋部４ａの下端部にリブ５を設けトレイシャーシの下面の先端に開閉時にリブに接する小リブ６ａを設けトレイシャーシの前側下面に蓋材のリブを蓋材をガイドする略円弧状の切り欠き部３ａを形成しトレイシャーシがフロントパネルの開口部から外部側から開口部内に挿入された際にトレイシャーシの小リブが蓋材のリブの上端に接し蓋材が閉まる方向に回動し蓋材のリブがトレイシャーシの略円弧状の切り欠き部に接しガイド移動し蓋材が開口部を閉状態でリブの上面にトレイシャーシの小リブが接して開くことを阻止する。【選択図】図１
2005063503.tif 000002
【特許請求の範囲】
【請求項１】
筐体の前部のフロントパネルに開設された開口部からトレイシャーシを出し入れしたときに、この開口部を蓋材で開閉するようにしたトレイシャーシによる蓋材の開閉構造において、前記蓋材は前記フロントパネルの開口部の下側に開閉可能に枢着されていて、この蓋材には、前記開口部を塞ぐ蓋部分の下端部にリブが設けられ、前記トレイシャーシの下面の先端に開閉時に前記リブに接する小リブが設けられて、更に、前記トレイシャーシの前側下面に前記蓋材のリブを蓋材の開閉時にガイドする略円弧状の切り欠き部が形成されており、前記トレイシャーシが前記フロントパネルの開口部から外部側にある状態から開口部内に挿入された際に、前記トレイシャーシの小リブが前記蓋材のリブの上端に接して前記蓋材が閉まる方向に回動され、このとき前記蓋材のリブが前記トレイシャーシの略円弧状の切り欠き部に接してガイド移動されて、前記蓋材が前記開口部を閉めた状態で前記リブの上面に前記トレイシャーシの小リブが接して開くことを阻止されるように構成したことを特徴とするトレイシャーシによる蓋材の開閉構造
【請求項２】
筐体の前部のフロントパネルに開設された開口部からトレイシャーシを出し入れしたときに、この開口部を蓋材で開閉するようにしたトレイシャーシによる蓋材の開閉構造において、前記蓋材は前記フロントパネルの開口部の下側に開閉可能に枢着されていて、この蓋材には、前記開口部を塞ぐ蓋部分の下端部にリブが設けられ、前記トレイシャーシの下面の先端に開閉時に前記リブに接する小リブが設けられており、前記トレイシャーシが前記フロントパネルの開口部から外部側にある状態から開口部内に挿入された際に、前記トレイシャーシの小リブが前記蓋材のリブの上端に接して前記蓋材が閉まる方向に回動され、前記蓋材が前記開口部を閉めた状態で前記リブの上面に前記トレイシャーシの小リブが接して開くことを阻止されるように構成したことを特徴とするトレイシャーシによる蓋材の開閉構造
【請求項３】
前記蓋材のリブには、この蓋材が前記フロントパネルの開口部を閉めた際に、前記トレイシャーシの小リブの先端が乗り上げる段状部が設けられていて、前記蓋材のリブの前記段状部に前記トレイシャーシの小リブが乗り上げた状態で、前記蓋材が開くことを阻止されるように構成した請求項２に記載のトレイシャーシによる蓋材の開閉構造。
【発明の詳細な説明】
【技術分野】
【０００１】
本発明は、筐体の前部のフロントパネルに開設された開口部からトレイシャーシを出し入れしたときに、この開口部を蓋材で開閉するようにしたトレイシャーシによる蓋材の開閉構造に関するものである。
【背景技術】
【０００２】
従来、トレイシャーシをフロントパネルの開口部から出し入れするときに、この開口部を開閉する蓋材はスプリングを用いて開閉されるようになっていた。ところが、スプリングを用いているために、部品点数が多くなりコスト高になるという問題があった。
【０００３】
第１の従来技術を図７、図８に示す。光又は光磁気ディスク機の蓋装置において前部開口部を蓋１０１の角部又は弾性部材１０３でおおうようにし、蓋１０１の左右に蓋１０１の平面と直立に伸びる長片部材１０７を具備し、左右両側面に位置し後方に長く伸びる回動板に具備された前部スタッドが長片部材１０７に具備された長穴を貫通してなり、さらにスタッドは前部左右に設けられたフレームの連続した水平溝と半円弧状の溝にさらに貫通してなる。また後部左右に設けられた別のフレームの水平溝に回動板に具備された後部スタッドが貫通してなり、かつフレームは装置内に固定されてなり、また回動板は前後に具備されたスタッドの中間に上下方向を長手方向とする長穴１０６ａを１〜３個具備し、ここにディスク１０４を収納するケースで左右に直立部を有しこの面に回動自在なローラ１０７ａを設け回動板の長穴１０６ａにローラ１０７ａを貫通してなりさらにバネ１０３でこのローラ１０７ａ又はケースを回動板に対して上方向に押しつけてなり、ケースのローラ１０７ａは回動板の長穴１０６ａの下部に位置することになり、構成を有する装置においてディスク１０４をケース内に収納し蓋１０１をしめると長片部材１０７、回動板、ケースの順に水平移動次に下降動作を行いディスク１０４は再生、記録手段に位置ずけられるようになってい、かつディスク１０４の排出動作は蓋を開け逆の手順で行われるものである。（例えば、特許文献１参照）。
ところが、これも、バネ１０３を用いて蓋１０１を開閉するものであった。
【０００４】
第２の従来技術を図９（ａ）（ｂ）、図１０（ａ）（ｂ）に示す。ＤＶＤプレーヤー２１１のパネル装置２０１は、ＤＶＤプレーヤー２１１の表面に設けられ、ディスクが載置されるディスクトレイ２１７が出入りするためのパネル装置２０１であって、フロントキャビネット２０３とトレイパネル２０５とを備えている。フロントキャビネット２０３は、ＤＶＤプレーヤー２１１の表面の一部を構成し、ディスクトレイ２１７が出入り可能な開口部２０７が形成されている。トレイパネル２０５はフロントキャビネット２０３の開口部２０７に開閉自在に装着されている。（例えば、特許文献２参照）。
ところが、蓋を構成するトレイパネル２０５は閉まった状態で固定されていないので、このトレイパネル２０５が不用意に開いてしまう虞があった。
【０００５】
【特許文献１】特開平３−１００９６１号公報
【特許文献２】特開２００２−１３３８４２号公報
【発明の開示】
【発明が解決しようとする課題】
【０００６】
本発明は、上記従来の問題を解消し、スプリングを用いることなく蓋材を開閉することができて、スプリングを抹消することができ、部品点数を少なくすることができてコストダウンを図ることができるトレイシャーシによる蓋材の開閉機構を提供することを目的としている。
【課題を解決するための手段】
【０００７】
本発明は、上記課題を解決するために提案されたものであって、請求項１に記載の発明は、筐体の前部のフロントパネルに開設された開口部からトレイシャーシを出し入れしたときに、この開口部を蓋材で開閉するようにしたトレイシャーシによる蓋材の開閉構造において、前記蓋材は前記フロントパネルの開口部の下側に開閉可能に枢着されていて、この蓋材には、前記開口部を塞ぐ蓋部分の下端部にリブが設けられ、前記トレイシャーシの下面の先端に開閉時に前記リブに接する小リブが設けられて、更に、前記トレイシャーシの前側下面に前記蓋材のリブを蓋材の開閉時にガイドする略円弧状の切り欠き部が形成されており、前記トレイシャーシが前記フロントパネルの開口部から外部側にある状態から開口部内に挿入された際に、前記トレイシャーシの小リブが前記蓋材のリブの上端に接して前記蓋材が閉まる方向に回動され、このとき前記蓋材のリブが前記トレイシャーシの略円弧状の切り欠き部に接してガイド移動されて、前記蓋材が前記開口部を閉めた状態で前記リブの上面に前記トレイシャーシの小リブが接して開くことを阻止されるように構成したことを特徴としている。
【０００８】
請求項２に記載の発明は、筐体の前部のフロントパネルに開設された開口部からトレイシャーシを出し入れしたときに、この開口部を蓋材で開閉するようにしたトレイシャーシによる蓋材の開閉構造において、前記蓋材は前記フロントパネルの開口部の下側に開閉可能に枢着されていて、この蓋材には、前記開口部を塞ぐ蓋部分の下端部にリブが設けられ、前記トレイシャーシの下面の先端に開閉時に前記リブに接する小リブが設けられており、前記トレイシャーシが前記フロントパネルの開口部から外部側にある状態から開口部内に挿入された際に、前記トレイシャーシの小リブが前記蓋材のリブの上端に接して前記蓋材が閉まる方向に回動され、前記蓋材が前記開口部を閉めた状態で前記リブの上面に前記トレイシャーシの小リブが接して開くことを阻止されるように構成したことを特徴としている。
【０００９】
請求項３に記載の発明は、前記蓋材のリブには、この蓋材が前記フロントパネルの開口部を閉めた際に、前記トレイシャーシの小リブの先端が乗り上げる段状部が設けられていて、前記蓋材のリブの前記段状部に前記トレイシャーシの小リブが乗り上げた状態で、前記蓋材が開くことを阻止されるようにしている。
【発明の効果】
【００１０】
以上説明したように、請求項１に記載の発明は、筐体の前部のフロントパネルに開設された開口部からトレイシャーシを出し入れしたときに、この開口部を蓋材で開閉するようにしたトレイシャーシによる蓋材の開閉構造において、蓋材はフロントパネルの開口部の下側に開閉可能に枢着されていて、この蓋材には、開口部を塞ぐ蓋部分の下端部にリブが設けられ、トレイシャーシの下面の先端に開閉時にリブに接する小リブが設けられて、更に、トレイシャーシの前側下面に蓋材のリブを蓋材の開閉時にガイドする略円弧状の切り欠き部が形成されており、トレイシャーシがフロントパネルの開口部から外部側にある状態から開口部内に挿入された際に、トレイシャーシの小リブが蓋材のリブの上端に接して蓋材が閉まる方向に回動され、このとき蓋材のリブがトレイシャーシの略円弧状の切り欠き部に接してガイド移動されて、蓋材が開口部を閉めた状態でリブの上面にトレイシャーシの小リブが接して開くことを阻止されるように構成したので、以下に述べる効果を奏する。
【００１１】
即ち、スプリングを用いることなく蓋材を開閉することができて、スプリングを抹消することができ、部品点数を少なくすることができてコストダウンを図ることができる。
また、トレイシャーシに小リブとガイド用の切り欠きを設け、蓋材にリブを設けただけなので、構造を簡単化することができる。
【００１２】
請求項２に記載の発明は、筐体の前部のフロントパネルに開設された開口部からトレイシャーシを出し入れしたときに、この開口部を蓋材で開閉するようにしたトレイシャーシによる蓋材の開閉構造において、蓋材はフロントパネルの開口部の下側に開閉可能に枢着されていて、この蓋材には、開口部を塞ぐ蓋部分の下端部にリブが設けられ、トレイシャーシの下面の先端に開閉時にリブに接する小リブが設けられており、トレイシャーシがフロントパネルの開口部から外部側にある状態から開口部内に挿入された際に、トレイシャーシの小リブが蓋材のリブの上端に接して蓋材が閉まる方向に回動され、蓋材が開口部を閉めた状態でリブの上面にトレイシャーシの小リブが接して開くことを阻止されるように構成したので、以下に述べる効果を奏する。
【００１３】
即ち、スプリングを用いることなく蓋材を開閉することができて、スプリングを抹消することができ、部品点数を少なくすることができてコストダウンを図ることができる。
また、トレイシャーシに小リブを設け、蓋材にリブを設けただけなので、構造を簡単化することができる。
【００１４】
請求項３に記載の発明は、蓋材のリブには、この蓋材がフロントパネルの開口部を閉めた際に、トレイシャーシの小リブの先端が乗り上げる段状部が設けられていて、蓋材のリブの段状部にトレイシャーシの小リブが乗り上げた状態で、蓋材が開くことを阻止されるように構成したので、蓋材を閉めたときに、トレイシャーシの小リブが蓋材のリブの段状部に乗り上げているので、この蓋材が閉まった状態を保持することができる。
【発明を実施するための最良の形態】
【００１５】
以下、本発明に係るトレイシャーシによる蓋材の開閉機構の実施の形態について、図を参照しつつ説明する。
図１は本発明のトレイシャーシによる蓋材の開閉機構の実施形態を示し、（ａ）はその蓋材が開いてトレイシャーシが引き出される際の状態を示す部分断面図、（ｂ）はその蓋材が閉まってトレイシャーシが入れられた状態を示す部分断面図、図２は実施形態のトレイシャーシによる蓋材の開閉機構の各部の第１段階の動作状態を示す断面図、図３は実施形態のトレイシャーシによる蓋材の開閉機構の各部の第２段階の動作状態を示す断面図、図４は実施形態のトレイシャーシによる蓋材の開閉機構の各部の第３段階の動作状態を示す断面図、図５は実施形態のトレイシャーシによる蓋材の開閉機構の各部の第４段階の動作状態を示す断面図、図６は実施形態のトレイシャーシによる蓋材の開閉機構の各部の第５段階の動作状態を示す断面図である。
【００１６】
本実施形態のトレイシャーシによる蓋材の開閉機構は、図１（ａ）（ｂ）に示すように、筐体１の前部のフロントパネル２に開設された開口部２ａからトレイシャーシ３を出し入れしたときに、この開口部２ａを蓋材４で開閉するようにしたものであり、蓋材４はフロントパネル２の開口部２ａの下側に開閉可能に枢着さてれていて、この蓋材４には、開口部２ａを塞ぐ蓋部４ａの下端部にリブ５が設けられ、トレイシャーシ３の下面の先端に開閉時にリブ５に接する小リブ６が設けられている。更に、トレイシャーシ３の前側下面に蓋材４のリブ５を蓋材４の開閉時にガイドする略円弧状の切り欠き部３ａが形成されている。また、蓋材４のリブ５には、この蓋材４がフロントパネル２の開口部２ａを閉めた際に、トレイシャーシ３の小リブ６の先端が乗り上げる段状部５ａが設けられている。
尚、小リブ６における切り欠き部３ａ側には、略円弧状の切り欠き部３ａに沿った切り落とし部６ａが形成されている。
【００１７】
上記のように構成されたトレイシャーシによる蓋材の開閉機構は、図２に示すように、トレイシャーシ３が引き出されて蓋材４が開けられた状態から、図３、図４に示す状態を経て図５に示すように、トレイシャーシ３が入れられて蓋材４が閉められた状態となる。
即ち、図２〜図６に示すように、トレイシャーシ３がフロントパネル２の開口部２ａから外部側にある状態から開口部２ａ内に挿入された際に、トレイシャーシ３の小リブ６が蓋材４のリブ５の上端に接して蓋材４が閉まる方向に回動され、このとき蓋材４のリブ５がトレイシャーシ３の略円弧状の切り欠き部３ａに接してガイド移動される。更に、
蓋材４が開口部２ａを閉めた状態でリブ５の上面にトレイシャーシ３の小リブ６が接して開くことを阻止されるよいになっている。
また、蓋材４のリブ５の段状部５ａにトレイシャーシ３の小リブ６が乗り上げた状態で、蓋材４が開くことを阻止されることとなる。
【００１８】
本実施形態によれば、トレイシャーシ３に小リブ６と略円弧状の切り欠き部３ａを設け、蓋材４にリブ５を設けるだけで、トレイシャーシ３を出し入れに伴って蓋材４を開閉できるようになっているので、スプリングを用いることなく蓋材４を開閉することができて、スプリングを抹消することができ、部品点数を少なくすることができてコストダウンを図ることができる。また、構造を簡単化することができて、コストダウンを図ることができる。
また、蓋材４を閉めたときに、トレイシャーシ３の小リブ６が蓋材４のリブ５の段状部５ａに乗り上げているので、この蓋材４が閉まった状態を保持することができる。
【図面の簡単な説明】
【００１９】
【図１】本発明のトレイシャーシによる蓋材の開閉機構の実施形態を示し、（ａ）はその蓋材が開いてトレイシャーシが引き出される際の状態を示す部分断面図、（ｂ）はその蓋材が閉まってトレイシャーシが入れられた状態を示す部分断面図である。
【図２】実施形態のトレイシャーシによる蓋材の開閉機構の各部の第１段階の動作状態を示す断面図である。
【図３】実施形態のトレイシャーシによる蓋材の開閉機構の各部の第２段階の動作状態を示す断面図である。
【図４】実施形態のトレイシャーシによる蓋材の開閉機構の各部の第３段階の動作状態を示す断面図である。
【図５】実施形態のトレイシャーシによる蓋材の開閉機構の各部の第４段階の動作状態を示す断面図である。
【図６】実施形態のトレイシャーシによる蓋材の開閉機構の各部の第５段階の動作状態を示す断面図である。
【図７】従来の防塵システムの部分断面を含む斜視図である。
【図８】図７におけるＡ−Ａ線断面図である。
【図９】従来のＤＶＤコンボを示し、（ａ）はその縦断面図、（ｂ）はそのトレイパネル付近をしめす斜視図である。
【図１０】同ＤＶＤコンボにおけるトレイパネルの開閉状態を示し、（ａ）はそのトレイパネルが開姿勢である場合の縦断面図、（ｂ）はそのトレイパネルが閉姿勢である場合の縦断面図である。
【符号の説明】
【００２０】
１          筐体
２          フロントパネル
２ａ        開口部
３          トレイシャーシ
３ａ        略円弧状の切り欠き部
４          蓋材
４ａ        蓋部
５          リブ
５ａ        段状部
６          小リブ
６ａ        切り落とし部
【図１】
2005063503.tif 000003
【図２】
2005063503.tif 000004
【図３】
2005063503.tif 000005
【図４】
2005063503.tif 000006
【図５】
2005063503.tif 000007
【図６】
2005063503.tif 000008
【図７】
2005063503.tif 000009
【図８】
2005063503.tif 000010
【図９】
2005063503.tif 000011
【図１０】
2005063503.tif 000012